(57)【特許請求の範囲】
【請求項１】
幹線ケーブルと、該幹線ケーブルに分岐接続された分岐線ケーブルとを有してなる分岐付きケーブルであって，
前記幹線ケーブルは，適宜長さに分割され、少なくとも一方の端末にコネクタ部を有する複数の幹線分割ケーブルによって形成され，
前記分岐線ケーブルは，少なくとも一方の端末にコネクタ部を設け，
前記コネクタ部は，
略円筒形に形成され中空部が仕切壁によって２つの空間に仕切られ、一側の空間に前記幹線分割ケーブル又は前記分岐線ケーブルの導体が取り付けられ、他側の空間に銅或いは銅合金製の弾性部材が設けられているコネクタターミナルと，
前記コネクタターミナルを収容してこれを保持するとともに絶縁を行うコネクタハウジングとによって構成され，
前記幹線分割ケーブル同士と、前記分岐線ケーブル同士とを接続すると共に前記幹線分割ケーブルと前記分岐線ケーブルを分岐接続コネクタで接続し，
前記分岐接続コネクタは，
前記コネクタ部のコネクタターミナルに挿入して該コネクタターミナルと電気的接続を行うための円柱形状の接続部を４つ備え、断面略Ｈ形状に形成される分岐ターミナルと、
前記コネクタ部のコネクタハウジングを挿入することができる中空部を有する有底円筒形状の被挿入部を４つ備え、前記被挿入部の中空部に、前記接続部がそれぞれ位置し、断面略Ｈ形状に形成される分岐ハウジングとによって構成される
ことを特徴とする分岐付きケーブル。
【請求項２】
前記分岐接続コネクタのケーブル挿入方向に対をなす一方の被挿入部のそれぞれに前記幹線分割ケーブルに設けられたコネクタ部を挿入して、前記分岐接続コネクタの接続部を前記幹線分割ケーブルの前記コネクタ部のコネクタターミナルに挿入し、
前記分岐接続コネクタのケーブル挿入方向に対をなす他方の被挿入部のそれぞれに前記分岐線ケーブルに設けられたコネクタ部を挿入して、前記分岐接続コネクタの接続部を前記分岐線ケーブルの前記コネクタ部のコネクタターミナルに挿入し、
前記接続部が接触した前記弾性部材が弾性変形し、該弾性部材によって前記分岐ターミナルの接続部が押圧されてロックされ、前記分岐接続コネクタから前記幹線分割ケーブルのコネクタ部及び前記分岐線ケーブルのコネクタ部が抜けることが防止され、各幹線分割ケーブル同士と前記分岐線ケーブルとの導通を図るようにした
ことを特徴とする請求項１に記載の分岐付きケーブル。
【発明の詳細な説明】
【技術分野】
【０００１】
本発明は、幹線ケーブルと該幹線ケーブルから分岐される分岐線ケーブルとを備えた分岐付きケーブルに関する。
【背景技術】
【０００２】
従来より、ビルやマンションなどにおいて、分岐付きケーブルが利用されている。この分岐付きケーブルは、幹線ケーブルを備えるとともに、該幹線ケーブルに分岐接続された分岐線ケーブルを備えて構成されており、幹線ケーブルが最上階から各フロアに跨って垂直に布設され、各フロアに分岐線ケーブルが布設されるようになっている。
【０００３】
従来の分岐付きケーブルの分岐部は、幹線ケーブルの導体と分岐線ケーブルの導体とを電気的に接続した後、この部分を塩化ビニル樹脂等によりモールド成形して絶縁を行うことにより構成されている（例えば、特許文献１参照。）。
【０００４】
このような分岐付きケーブルによれば、分岐処理加工を予めケーブル製造工場にて行うため、施工現場において分岐処理加工を行う場合に比べて、ケーブル施工時の省力化及び工期の短縮が可能であり、高品質を安定して得ることができるという利点がある。
【特許文献１】特開２００３−７０１４５号公報
【発明の開示】
【発明が解決しようとする課題】
【０００５】
しかしながら、前記分岐付きケーブルは、ケーブル長が長く運搬しにくく延線時に施工しにくいという問題がある。また、樹脂によりモールド成形した分岐部はケーブル外形よりも大きく、このような分岐部を有する分岐付きケーブルは、施工時に各フロアの天井或いは床の貫通孔を通しにくい。さらに、分岐部にモールドを施すため、射出成形機のような大型設備を使用しなければならないことから、生産性が悪くなっている。また、前記従来の分岐付きケーブルは、ビル、マンション毎に分岐線ケーブルの分岐位置や分岐数が異なっている場合に対応することはできずそれぞれに適応した分岐付きケーブルを製造する必要があることから量産性に乏しい。
【０００６】
本発明の目的は、施工現場における施工性の向上を図り、生産性を向上させることができる分岐付きケーブルを提供することにある。
【課題を解決するための手段】
【０００７】
上記課題を解決するために、請求項１に記載の発明に係る分岐付きケーブルは、幹線ケーブルと、該幹線ケーブルに分岐接続された分岐線ケーブルとを有してなる分岐付きケーブルであって，
前記幹線ケーブルは，適宜長さに分割され、少なくとも一方の端末にコネクタ部を有する複数の幹線分割ケーブルによって形成され，
前記分岐線ケーブルは，少なくとも一方の端末にコネクタ部を設け，
前記コネクタ部は，
略円筒形に形成され中空部が仕切壁によって２つの空間に仕切られ、一側の空間に前記幹線分割ケーブル又は前記分岐線ケーブルの導体が取り付けられ、他側の空間に銅或いは銅合金製の弾性部材が設けられているコネクタターミナルと，
前記コネクタターミナルを収容してこれを保持するとともに絶縁を行うコネクタハウジングとによって構成され，
前記幹線分割ケーブル同士と、前記分岐線ケーブル同士とを接続すると共に前記幹線分割ケーブルと前記分岐線ケーブルを分岐接続コネクタで接続し，
前記分岐接続コネクタは，
前記コネクタ部のコネクタターミナルに挿入して該コネクタターミナルと電気的接続を行うための円柱形状の接続部を４つ備え、断面略Ｈ形状に形成される分岐ターミナルと、
前記コネクタ部のコネクタハウジングを挿入することができる中空部を有する有底円筒形状の被挿入部を４つ備え、前記被挿入部の中空部に、前記接続部がそれぞれ位置し、断面略Ｈ形状に形成される分岐ハウジングとによって構成されるようにしたことを特徴とする。
【０００８】
このような請求項１に記載の発明では、施工現場において、幹線分割ケーブル同士を前記分岐接続コネクタで接続し、また、前記分岐線ケーブルを所望の位置の前記分岐接続コネクタに接続して、分岐付きケーブルを組み立てる。
【０００９】
請求項２に記載の発明に係る分岐付きケーブルは請求項１に記載において、前記分岐接続コネクタのケーブル挿入方向に対をなす一方の被挿入部のそれぞれに前記幹線分割ケーブルに設けられたコネクタ部を挿入して、前記分岐接続コネクタの接続部を前記幹線分割ケーブルの前記コネクタ部のコネクタターミナルに挿入し、
前記分岐接続コネクタのケーブル挿入方向に対をなす他方の被挿入部のそれぞれに前記分岐線ケーブルに設けられたコネクタ部を挿入して、前記分岐接続コネクタの接続部を前記分岐線ケーブルの前記コネクタ部のコネクタターミナルに挿入し、
前記接続部が接触した前記弾性部材が弾性変形し、該弾性部材によって前記分岐ターミナルの接続部が押圧されてロックされ、前記分岐接続コネクタから前記幹線分割ケーブルのコネクタ部及び前記分岐線ケーブルのコネクタ部が抜けることが防止され、各幹線分割ケーブル同士と前記分岐線ケーブルとの導通を図るようにしたことを特徴とする。
【発明の効果】
【００１１】
請求項１に記載の発明によれば、分岐付きケーブルは、幹線分割ケーブル、分岐線ケーブル、分岐接続コネクタの各部品で構成され、施工現場へはこれら部品を運搬するので運搬が容易である。また、前記各部品は、施工現場における取り扱いが容易である。さらに、幹線分割ケーブルは貫通穴等に通しやすく、ケーブル施工性がよい。
【００１２】
また、幹線分割ケーブル、分岐線ケーブルを工場で製造しこれらを施工現場で組み立てるので、工場の製造ラインを短くすることができる。そして、施工現場において、所定の分岐位置や分岐数等に合わせて、幹線分割ケーブル、分岐線ケーブルを組み立てることが可能となるので、工場では標準品を製造することができる。これらのことから、生産性を向上させることができる。
【発明を実施するための最良の形態】
【００１４】
以下、図面を参照して本発明を実施するための最良の形態の一例について説明する。 
図１は本例の分岐付きケーブルを示す図、図２は図１に示す分岐付きケーブルを組み立てる前の状態を示す図、図３は図２の一部拡大図、図４は図２の一部拡大図である。
【００１５】
図において、符号１は本例の分岐付きケーブルを示しており、この分岐付きケーブルは、幹線ケーブル２と幹線ケーブル２に分岐接続された分岐線ケーブル３（本例では４本図示されている）とを有して構成されている。
【００１６】
前記幹線ケーブル２は、複数の幹線分割ケーブル２ａ，２ｂ，２ｃ，２ｄに分割されており、幹線分割ケーブル２ａ，２ｂ，２ｃは分岐接続コネクタ４で接続されている。そして、この分岐接続コネクタ４に、各分岐線ケーブル３が接続されている。また、幹線分割ケーブル２ｃと２ｄは、ジョイントコネクタ５で接続されている。
【００１７】
前記幹線分割ケーブル２ａ，２ｂ，２ｃ，２ｄについてもう少し詳しく説明すると、各幹線分割ケーブル２ａ，２ｂ，２ｃ，２ｄの端末には、コネクタ部６が設けられている。このコネクタ部６は、幹線分割ケーブル２ａには一端のみ設けられ、幹線分割ケーブル２ｂ，２ｃ，２ｄには、両端に設けられている（幹線分割ケーブル２ｄは、一端のみ図示されている）。幹線分割ケーブル２ａのコネクタ部６が設けられている側とは反対側の他端には、ケーブル敷設時に分岐付きケーブル１を吊り上げるための吊り上げ金具７が設けられている。
【００１８】
前記コネクタ部６について図３を参照して詳しく説明する。尚、以下の説明では、幹線分割ケーブル２ａの一端部に設けられたコネクタ部６を例にとって説明するが、他のコネクタ部６についても同様の構成である。
【００１９】
コネクタ部６は、コネクタターミナル８と、コネクタターミナル８を収容してこれを保持するとともに絶縁を行うためのコネクタハウジング９とを有して構成されている。前記コネクタターミナル８は、通常端子材として使用される銅や銅合金等で形成されている。このコネクタターミナル８は、略円筒形に形成され、中空部が仕切壁１０によって仕切られて２つの空間に分かれており、一側の空間において、コネクタターミナル８が幹線分割ケーブル２ａの導体１１に取り付けられており、他側の空間には、銅或いは銅合金製の弾性部材１２が設けられている。
【００２０】
前記コネクタハウジング９は、合成樹脂等で形成され、幹線分割ケーブル２ａの直径とほぼ同径の中空部を有する略円筒形状となっていて、中空部に、コネクタターミナル８が嵌合しているとともに、幹線分割ケーブル２ａの端部が挿入されている。
【００２１】
このように構成されるコネクタ部６は、前記各分岐線ケーブル３の端末にも設けられている。
【００２２】
前記分岐接続コネクタ４について詳しく説明する。この分岐接続コネクタ４は、分岐ターミナル１３と分岐ハウジング１４とで構成されている。これら分岐ターミナル１３と分岐ハウジング１４は、いずれも断面略Ｈ形状となっている。分岐ターミナル１３は、銅或いは銅合金等で形成され、コネクタ部６のコネクタターミナル８に挿入して該コネクタターミナル８と電気的に接続するための円柱形状の接続部１５を４つ有している。かかる接続部１５は、コネクタターミナル８に挿入されたときに、前記弾性部材１２に接触して押圧されてロックされ、コネクタターミナル８から抜けることが防止されるようになっている。以上のように構成された分岐ターミナル１３は、合成樹脂製の分岐ハウジング１４にその一部が埋め込まれるようにして分岐ハウジング１４内に保持されている。
【００２３】
分岐ハウジング１４は、前記コネクタ部６のコネクタハウジング９を挿入することができる中空部を有する有底円筒形状の被挿入部１６を４つ有している。そして、この被挿入部１６の中空部に、前記接続部１５がそれぞれ位置している。
【００２４】
前記ジョイントコネクタ５について図４に基づいて説明する。ジョイントコネクタ５は、幹線分割ケーブル２ａ、２ｂ、２ｃ、２ｄ（本例では幹線分割ケーブル２ｃ、２ｄ）同士のみを接続するものであり、幹線ケーブル２の長さを調整する場合に必要に応じて備えられるものである。
【００２５】
かかるジョイントコネクタ５は、銅或いは銅合金で形成された円柱形状のターミナル１７と合成樹脂で形成された円筒形状のハウジング１８とで構成されている。ハウジング１８は、中空部が仕切壁１９によって仕切られて２つの空間部２０，２１が形成されており、ターミナル１７はこの仕切壁１９に埋め込まれて前記空間部２０，２１に保持されている。そして、前記空間部２０，２１には、それぞれ、幹線分割ケーブル２ｃの端末に設けられたコネクタ部６のコネクタハウジング９、幹線分割ケーブル２ｄの端末に設けられたコネクタ部６のコネクタハウジング９を挿入することができるようになっている。
【００２６】
ターミナル１７は、空間部２０，２１に幹線分割ケーブル２ｃ，２ｄのコネクタ部６，６を挿入したときに、コネクタターミナル８に挿入され電気的に接続されるようになっている。コネクタターミナル８に挿入されたターミナル１７は、弾性部材１２に接触して押圧されてロックされ、コネクタターミナル８から抜けることが防止されるようになっている。
【００２７】
以上のような構成の分岐付きケーブル１は、施工現場において幹線分割ケーブル２ａ，２ｂ，２ｃを分岐接続コネクタ４を介して接続し、幹線分割ケーブル２ｃ，２ｄをジョイントコネクタ５を介して接続して幹線ケーブル２を形成し、この幹線ケーブル２に分岐接続コネクタ４を介して分岐線ケーブル３を分岐接続して、分岐付きケーブル１を組み立てる。
【００２８】
このような分岐付きケーブル１の組み立てについてもう少し説明する。分岐付きケーブル１の組み立てにあたっては、先ず、端末にコネクタ部６が設けられた幹線分割ケーブル２ａ，２ｂ，２ｃ，２ｄ及び分岐線ケーブル３を、工場において予め製造し、これらを施工現場に運搬して組み立てを行う。幹線分割ケーブル２ａ，２ｂ，２ｃ，２ｄは、ケーブルが施工されるビル或いはマンション等の各フロアの床或いは天井の貫通孔等に通した後、分岐接続コネクタ４及びジョイントコネクタ５によって接続する。
【００２９】
幹線分割ケーブル２ａ，２ｂ，２ｃの分岐接続コネクタ４への接続、及び分岐線ケーブル３の分岐接続コネクタ４への接続は、幹線分割ケーブル２ａ，２ｂ，２ｃ及び分岐線ケーブル３のコネクタ部６を分岐接続コネクタ４に接続することにより行う。これについて詳しく説明すると、コネクタ部６のコネクタハウジング９を、分岐接続コネクタ４の被挿入部１６に挿入し、コネクタターミナル８に分岐ターミナル１３の接続部１５を挿入する。分岐ターミナル１３の接続部１５をコネクタターミナル８に挿入すると、接続部１５が接触した弾性部材１２が弾性変形し、かかる弾性部材１２によって分岐ターミナル１３の接続部１５が押圧されてロックされる。これにより、分岐接続コネクタ４からコネクタ部６が抜けることが防止される。また、各幹線分割ケーブル２ａ，２ｂ，２ｃが導通状態となるとともに、幹線分割ケーブル２ａ，２ｂ，２ｃと分岐線ケーブル３とが導通状態となる。
【００３０】
幹線分割ケーブル２ｃ，２ｄのジョイントコネクタ５への接続は、幹線分割ケーブル２ｃ，２ｄのコネクタ部６をジョイントコネクタ５に接続することにより行う。これについて詳しく説明すると、コネクタ部６のコネクタハウジング９を、ジョイントコネクタ５の空間部２０，２１に挿入し、コネクタターミナル８にターミナル１７を挿入する。ターミナル１７をコネクタターミナル８に挿入すると、ターミナル１７が接触した弾性部材１２が弾性変形し、かかる弾性部材１２によってターミナル１７が押圧されてロックされる。これにより、ジョイントコネクタ５からコネクタ部６が抜けることが防止される。また、幹線分割ケーブル２ｃ，２ｄが導通状態となる。
【００３１】
以上説明した本例の分岐付きケーブル１は、幹線分割ケーブル２ａ，２ｂ，２ｃ，２ｄ、各分岐線ケーブル３、分岐接続コネクタ４、ジョイントコネクタ５の各部品で構成されており、施工現場へはこれら各部品を運搬し、施工現場においてこれらを組み立てるので、従来のように工場において予め製造された分岐付きケーブルに比べて運搬が容易であり、施工現場における取り扱いも容易である。また、施工現場における組み立ては、コネクタ接続により行われることから、簡単に接続でき、施工時の省力化及び工期短縮を図ることができる。
【００３２】
また、幹線分割ケーブル２ａ，２ｂ，２ｃ，２ｄ及び分岐線ケーブル３の端末に設けたコネクタ部６の大きさはケーブルの径とあまり変わらず、施工時に貫通穴等に通しやすく、ケーブル施工性がよい。
【００３３】
また、幹線分割ケーブル２ａ，２ｂ，２ｃ，２ｄ、分岐線ケーブル３を工場で製造しこれらを施工現場で組み立てるので、工場の製造ラインを短くすることができる。そして、施工現場において、所定の分岐位置や分岐数等に合わせて、幹線分割ケーブル２ａ，２ｂ，２ｃ，２ｄ、分岐線ケーブル３を組み立てることが可能となるので、工場では標準品を製造することができ、生産性を向上させることができる。
【００３４】
さらに、必要に応じてジョイントコネクタ５によって幹線分割ケーブル２ａ，２ｂ，２ｃ，２ｄを接続することにより、幹線ケーブル２の長さを調整することができる。
【００３５】
そして、本発明の分岐付きケーブルによれば、上記実施の形態の一例以外にも様々な分岐パターンに対応可能である。すなわち、分岐線ケーブル３を接続する必要がない部分は、ジョイントコネクタ５を用いて幹線分割ケーブル２ａ，２ｂ，２ｃ，２ｄ同士の接続を行うとともに、分岐線ケーブル３を接続する部分は、分岐接続コネクタ４を用いて分岐線ケーブル３の接続と幹線分割ケーブル２ａ，２ｂ，２ｃ，２ｄ同士の接続を行うことにより、様々な分岐パターンへの対応が可能である。
【００３６】
尚、上記実施の形態において、分岐ターミナル１３及び分岐ハウジング１４は断面略Ｈ形状となっているが、このような形状に限られず、分岐接続コネクタ４の分岐ターミナル１３の接続部及び分岐ハウジング１４の被挿入部１６の数を、上記実施の形態で説明したものよりも増やしてもよい。これにより、分岐接続コネクタ４に接続する分岐線ケーブル３の数を増やすことができ、一つの分岐部からより多くの分岐線ケーブル３を分岐することができる。
【図面の簡単な説明】
【００３７】
【図１】本発明に係る分岐付きケーブルの実施の形態の一例を示す図。
【図２】図１に示す分岐付きケーブルを組み立てる前の状態を示す図。
【図３】図２の一部拡大図。
【図４】図２の一部拡大図。
【符号の説明】
【００３８】
１    分岐付きケーブル
２    幹線ケーブル
２ａ，２ｂ，２ｃ，２ｄ    幹線分割ケーブル
３    分岐線ケーブル
４    分岐接続コネクタ
５    ジョイントコネクタ
６    コネクタ部
【図１】
0004606774.tif 000002
【図２】
0004606774.tif 000003
【図３】
0004606774.tif 000004
【図４】
0004606774.tif 000005